(57)【要約】【課題】  カートリッジを交換するための部品点数を削減することのできる繰出容器を提供すること。【解決手段】  外筒２と、当該外筒２内に着脱自在に設けられたカートリッジ３と、カートリッジ３内の固形糊２５を出没させるための操作部材４とを備えて繰出容器１が構成されている。操作部材４は、外筒２に対して、第１及び第２の位置間で移動可能に設けられ、当該操作部材４が第１の位置にあるときに、内筒１０に係り合ってカートリッジ３を外筒２内に保持する一方、第２の位置にあるときに、内筒１０との係り合いを解除してカートリッジ３を外筒２から取り出しできるようになっている。【選択図】          図３
2005271941.tif 000002
【特許請求の範囲】
【請求項１】
棒状をなす被収容材の出し入れ口が上端部に形成された本体ケースと、この本体ケース内に収容されるとともに、内部に前記被収容材が収容されたカートリッジと、前記本体ケースの下端部に回転可能に設けられて前記被収容材を出し入れ口から出没させる操作部材とを備えた繰出装置において、
前記操作部材は、本体ケースに対して第１及び第２の位置間で移動可能に設けられ、
前記操作部材が前記第１の位置にあるときに、前記カートリッジが本体ケース内に保持される一方、操作部材が第１の位置から第２の位置に移動したときに、前記カートリッジが本体ケースから取り出し可能に設けられていることを特徴とする棒状部材の繰出容器。
【請求項２】
棒状をなす被収容材の出し入れ口が上端部に形成された外筒と、この外筒内に収容されるとともに、内部に前記被収容材が収容されたカートリッジと、前記外筒の下端部に回転可能に設けられて前記被収容材を出し入れ口から出没させる操作部材とを備えた繰出装置において、
前記カートリッジは、前記外筒内に位置して前記操作部材に相対回転可能な状態で係り合う内筒と、この内筒の内側に回転可能に支持された軸部材と、この軸部材回りに位置するとともに、当該軸部材の回転によって内筒内で昇降可能に設けられた被収容材の受け部材とを含み、
前記操作部材は、前記外筒の軸方向に沿う第１の位置と第２の位置との間で移動可能に設けられ、
前記第１の位置に操作部材が設定されたときに、当該操作部材と前記カートリッジとが係り合って当該カートリッジが外筒内に保持される一方、
前記操作部材を第１の位置から第２の位置に移動させたときに、前記係り合いが解除されて前記カートリッジが外筒から取り出し可能に設けられていることを特徴とする棒状部材の繰出容器。
【請求項３】
前記軸部材と操作部材との間に、当該操作部材の回転によって前記軸部材を回転させるギヤが設けられていることを特徴とする請求項２記載の棒状部材の繰出容器。
【請求項４】
前記操作部材は、前記内筒の下端部を受容して当該内筒に相対回転可能な状態で係り合う保持筒部を備え、この保持筒部は、軸方向に沿って延びるスロットが周方向所定間隔毎に形成され、前記第１の位置から第２の位置に操作部材を移動させたときに保持筒部が径方向に変位して前記係り合いが解除されることを特徴とする請求項２又は３記載の棒状部材の繰出容器。
【発明の詳細な説明】
【技術分野】
【０００１】
本発明は、例えば、棒状をなす固形糊を被収容材とした繰出容器に係り、更に詳しくは、筒状の本体ケースに収容される固形糊を、簡易な構造によって詰め替えできるようにした繰出容器の構造に関する。
【背景技術】
【０００２】
従来より、外観形状が略筒状となる本体ケース内に、棒状の固形糊を収容し、当該固形糊を本体ケースの上端に形成された出し入れ口で出没可能に設けた繰出容器が知られている（特許文献１）。図１５には、特許文献１に記載された繰出容器と略同様の構造が概略的に示されている。同図において、繰出容器５０は、上端に出し入れ口５１を備えている一方、下端に底壁５２を備えた本体ケースを構成する外筒５４と、この外筒５４内に着脱自在に設けられて固形糊５５を収容するカートリッジ５６と、前記外筒５４の下端側に回転可能に取り付けられた操作部材５７とを備えて構成されている。
【０００３】
前記カートリッジ５６は、上端が開放する内筒６０と、この内筒６０内に収容された固形糊５５の下部を支えるとともに、内筒６０の周方向に沿う回転が規制される状態に保たれた受け部材６３と、当該受け部材６３を内筒６０内で昇降可能に設けて固形糊５５を出し入れ口５１から出没させるための軸部材６５とを備えて構成されている。ここで、内筒６０の下端側外周部分には、外筒５４内の内周部分に係り合う突起６０Ａが設けられており、これにより、カートリッジ５６を外筒５４に収容した後の意図しない抜け止めが防止される。
【０００４】
前記操作部材５７は下端を開放する円筒形状に設けられており、その頂壁６６の中央部には、前記外筒５４の底壁５２を貫通して当該底壁５２に嵌合する起立筒６７が形成されている。この起立筒６７の外周は、前記軸部材６５の下部内周面に噛み合い可能に設けられており、これにより、操作部材５７を回転させることで軸部材６５を回転させ、当該軸部材６５にねじ結合している受け部材６３が上下に昇降可能となっている。
また、前記操作部材５７内には、前記起立筒６７を貫通して上端が軸部材６５に突き当たるピン軸６８を備えた押圧部材７０が収容されている。この押圧部材７０は操作部材５７の内周面部分に形成された突起６９により下方への脱落が防止されている。
【０００５】
以上の構成において、前記繰出容器５０は、固形糊５５を使い切ったときに、前記押圧部材７０を下方から押圧することにより、外筒５４と内筒６０との係り合いを解除し、カートリッジ５６を外筒５４から取り出して、別途のカートリッジを詰め替えできるようになっている。
【０００６】
【特許文献１】ヨーロッパ特許公開第０７５７５２５号公報
【発明の開示】
【発明が解決しようとする課題】
【０００７】
しかしながら、公知の繰出容器５０にあっては、カートリッジ５６を外筒５４から取り出す際に用いられる押圧部材７０が必須部品として要求される構成であり、部品点数が増大する他、繰出容器５０の組み立て工数も増加させてしまう、という不都合がある。
【０００８】
［発明の目的］
本発明は、このような不都合に着目して案出されたものであり、その目的は、カートリッジを交換するための部品点数を削減することのできる繰出容器を提供することにある。
【課題を解決するための手段】
【０００９】
前記目的を達成するため、本発明は、棒状をなす被収容材の出し入れ口が上端部に形成された本体ケースと、この本体ケース内に収容されるとともに、内部に前記被収容材が収容されたカートリッジと、前記本体ケースの下端部に回転可能に設けられて前記被収容材を出し入れ口から出没させる操作部材とを備えた繰出装置において、
前記操作部材は、本体ケースに対して第１及び第２の位置間で移動可能に設けられ、
前記操作部材が前記第１の位置にあるときに、前記カートリッジが本体ケース内に保持される一方、操作部材が第１の位置から第２の位置に移動したときに、前記カートリッジが本体ケースから取り出し可能に設けられる、という構成を採っている。
【００１０】
また、本発明は、棒状をなす被収容材の出し入れ口が上端部に形成された外筒と、この外筒内に収容されるとともに、内部に前記被収容材が収容されたカートリッジと、前記外筒の下端部に回転可能に設けられて前記被収容材を出し入れ口から出没させる操作部材とを備えた繰出装置において、
前記カートリッジは、前記外筒内に位置して前記操作部材に相対回転可能な状態で係り合う内筒と、この内筒の内側に回転可能に支持された軸部材と、この軸部材回りに位置するとともに、当該軸部材の回転によって内筒内で昇降可能に設けられた被収容材の受け部材とを含み、
前記操作部材は、前記外筒の軸方向に沿う第１の位置と第２の位置との間で移動可能に設けられ、
前記第１の位置に操作部材が設定されたときに、当該操作部材と前記カートリッジとが係り合って当該カートリッジが外筒内に保持される一方、
前記操作部材を第１の位置から第２の位置に移動させたときに、前記係り合いが解除されて前記カートリッジが外筒から取り出し可能に設けられる、という構成を採っている。
【００１１】
前記繰出容器において、軸部材と操作部材との間に、当該操作部材の回転によって前記軸部材を回転させるギヤが設けられる、という構成を採ることができる。
【００１２】
また、前記操作部材は、前記内筒の下端部を受容して当該内筒に相対回転可能な状態で係り合う保持筒部を備え、この保持筒部は、軸方向に沿って延びるスロットが周方向所定間隔毎に形成され、前記第１の位置から第２の位置に操作部材を移動させたときに保持筒部が径方向に変位して前記係り合いが解除されるように設けることが好ましい。
【発明の効果】
【００１３】
本発明によれば、操作部材と本体ケースとを相対的に移動させるだけで、カートリッジを本体ケースから取り出しできる構成であるため、従来のような専用の押圧部材を設ける必要性を一掃することができ、部品点数の削減を図ることができる。しかも、押圧部材を組み込む作業も不要となることで、繰出容器の組み立ても容易なものとなる。
【００１４】
なお、本明細書において、「上端」とは、出し入れ口が形成されている側について用いられ、「下端」とは、その反対側について用いられる。また、「筒状」とは、円筒以外の角筒をも含む。
【発明を実施するための最良の形態】
【００１５】
以下、本発明が棒状の固形糊を被収容材とした繰出容器に適用された実施形態について、図面を参照しながら説明する。
【００１６】
図１には、本実施形態に係る繰出容器の概略斜視図が示され、図２には、その分解斜視図が示されている。また、図３には、図１の拡大縦断面図が示されている。これらの図において、繰出容器１は、本体ケースとしての外筒２と、この外筒２内に収容されたカートリッジ３（図２参照）と、外筒２の下端部に回転可能且つ軸方向相対移動可能に設けられた操作部材４と、外筒２の上端部に設けられたキャップ５とを備えて構成されている。
【００１７】
前記外筒２は、図２，図６及び図７に示されるように、上端を出し入れ口２Ａとして上下両端を開放する略円筒状に設けられている。この外筒２は、その下端側において、軸方向（上下方向）に沿う一定領域が、外周面位置を僅かに陥没させた絞り領域６として形成され、当該絞り領域６の上部外面側に周方向に延びる突条部７が設けられている。ここで、絞り領域６の上下方向略中間部から外筒２の下端までの間に延びる複数の割り溝８が周方向所定間隔毎に形成されており、これら割り溝８により、操作部材４を外筒２に装着する際に、外筒２の下端部領域を縮径させて操作部材４の取り付け容易化が図られるようになっている。また、前記絞り領域６の上下方向略中間部において、外筒２の内周には、周方向に沿う内周歯９が形成されている。
【００１８】
カートリッジ３は、前記外筒２内に位置する内筒１０と、この内筒１０の内側に回転可能に支持された軸部材１１と、この軸部材１１回りに位置する受け部材１２とを備えて構成されている。内筒１０は、図２，８及び図９に示されるように、上下両端を開放する略円筒状に設けられた周壁部１３と、この周壁部１３の内側に形成された軸部材保持部１４とからなる。周壁部１３は、下部周壁１３Ａと、これの上部側に連なって当該下部周壁１３Ａより大径となる中間周壁１３Ｂと、この中間周壁１３Ｂの上端に連なり、当該中間周壁１３Ｂよりも大径に設けられて前記外筒２の上端よりも上方に位置する上部周壁１３Ｃとを含む。下部周壁１３Ａの上下方向中間位置には、外周面側に凹溝１５が周方向に沿って形成されているとともに、下部周壁１３Ａの上端と中間周壁１３Ｂの下端との間の外周面には外周歯１６が形成され、当該外周歯１６が外筒２の内周歯９に噛み合うことにより、外筒２と内筒１０との相対回転が規制されるようになっている。また、中間周壁１３Ｂ及び上部周壁１３Ｃの内面側には、周方向略１２０度間隔を隔てた位置で、内筒１０の軸方向に沿って延びる突条部１７が形成され、当該突条部１７を利用して受け部材１２の回転を規制した状態で、当該受け部材１２を昇降させるガイドが構成されている。
【００１９】
前記軸部材保持部１４は、前記下部周壁１３Ａ及び上部周壁１３Ｂの境界領域の内周側に設けられている。この軸部材保持部１４は、内筒１０の内周面に連なる段突きのフランジ面部１８と、このフランジ面部１８の内周に連なるとともに、上部が下部より小径に設けられたテーパ状部１９とにより構成されている。テーパ状部１９は、その上部側に縦割り溝１９Ａを周方向所定間隔毎に備えた形状に設けられている。
【００２０】
前記軸部材１１は、図２、図１０及び図１１に示されるように、ねじ軸部２０と、このねじ軸部２０の下端に鍔部２１を介して設けられた基部軸２２と、当該基部軸２２の下端に連なる下向き略コ字状のスカート状部２３とを含む。このスカート状部２３の内周面には、操作部材４の回転を伝達するためのギヤ２４が周方向に沿って設けられている。
【００２１】
前記受け部材１２は、図２、図１２及び図１３に示されるように、略円柱状の外形をなす棒状部材としての固形糊２５の下端を受容してこれを支持する略皿状に形成されている。この受け部材１２は、略筒状の周壁２６と、この周壁２６の内側において、当該周壁２６と略同心円上に位置するとともに、前記軸部材１１のねじ軸部２０回りにねじ結合されるねじ筒２７と、このねじ筒２７の下端から下方に連なるテーパ筒部２８と、このテーパ筒部２８の下端と前記周壁２６の下端との間に延びる連結底壁２９とにより構成されている。周壁２６の外周側には、略周方向１２０間隔を隔てた位置に、凹溝３０が上下方向に形成されており、これらの凹溝３０内に内筒１０の突条１７が受容されるようになっている。なお、周壁２６の上端内周側には、爪部３２が形成されており、この爪部３２が固形糊２５の下部外周面に食い込んで当該固形糊２５の脱落が防止される。
【００２２】
前記操作部材４は、図２及び図１４に示されるように、外筒２の下端部外周面側に装着される有底の略円筒状をなす摘み筒３４と、この摘み筒３４の内周側に設けられるとともに、前記内筒１０の下端部となる下部周壁１３Ａを受容して内筒１０と相対回転可能な状態で係り合う保持筒部３５と、この保持筒部３５の内周側に設けられるとともに、外周側にギヤ３６が形成されたたギヤ筒３７とを備えて構成されている。摘み筒３４の内周上端部には、周方向略９０度間隔を隔てた位置に爪状のフック３８が形成され、当該フック３８が外筒２の下端部外周に形成された突条部７の上位側に位置して回転可能な状態で当該突条部７に係り合うようになっている。
【００２３】
前記保持筒部３５は、周方向に沿う所定位置で上下方向に延びるスロット４０を設けて区分された８個の保持筒形成片３５Ａ，３５Ｂにより構成されている。これら保持筒形成片３５Ａ，３５Ｂのうち、摘み筒３４のフック３８が形成されている領域の直近内側に位置する保持筒形成片３５Ａには、前記内筒１０の下部周壁１３Ａに形成された凹溝１５に係り合い、且つ、内筒１０との相対回転を許容する突起４２が形成されている。また、保持筒形成片３５Ａの基部側において、操作部材４の底壁４３部分には、スロット穴４４が形成され、これにより、突起４２を備えた各保持筒形成片３５Ａが径方向に変形し易くなっている。
【００２４】
前記操作部材４は、前記フック３８が突条部７に係り合う位置を第１の位置とし、当該第１の位置よりも下方に移動してフック３８が前記絞り領域６の下端に引っ掛かる位置を第２の位置としたストロークで、外筒２に対して軸方向相対移動可能に設けられている。
【００２５】
次に、本実施形態における繰出容器１の組み立て方法とカートリッジ３の交換方法について説明する。
【００２６】
内筒１０に下端から軸部材１１を挿入して当該軸部材１１を内筒１０に一体化させる。この一体化は、軸部材１１の鍔部２１が内筒１０のテーパ状部１９を突き抜けた位置まで挿入することにより行われ、これにより、軸部材１１の鍔部２１と、スカート部２３の上面との間に内筒１０のテーパ状部１９が挟まれて軸部材１１の上方及び下方への抜け出しが阻止される。次いで、前記受け部材１２に固形糊２５を収容し、当該受け部材１２を内筒１０内に挿入することで、カートリッジ３の組み立てを完了することができる。
【００２７】
この一方、外筒２の下端側に操作部材４を装着する。この装着に際し、外筒２における操作部材４の装着領域は、割り溝８が形成されているため、操作部材４の押し込みにより、外筒２の下端部は縮径方向に若干変形して押し込み操作を促進することとなる。そして、操作部材４のフック３８を外筒２の突条部７を乗り越える位置まで押し込み、当該突条部７にフック３８を係り合わせて操作部材４を第１の位置とすることができる。同時に、保持筒部３５は、前述したように、スロット４０が形成されているため、内筒１０の下部周壁１３Ａに対して径方向寸法を僅かに拡大する方向に変形し、当該下部周壁１３Ａを受容しつつ下部周壁１３Ａの凹溝１５に突起４２が係り合うこととなる。
【００２８】
このようにして外筒２に操作部材４を装着した状態で、外筒２の出し入れ口２Ａからカートリッジ３が挿入される。この挿入は、内筒１０の下端が操作部材４の底壁４３に略突き当たる位置まで行われ、このとき、内筒１０の外周歯１６が、外筒２の内周歯９に丁度噛み合うとともに、軸部材１１におけるスカート部２３の内周面に形成されたギヤ２４が操作部材４側のギヤ３６に噛み合い、これにより、繰出容器１の組み立てを完了させることができる。
【００２９】
繰出装置１を利用する場合には、操作部材４を回転操作すればよい。この回転は、軸部材１１の回転を伴い、この軸部材１１にねじ結合している受け部材１２は、内筒１０内で回転規制された状態で軸部材１１の軸方向に沿って内筒１０内を昇降することとなり、これにより、固形糊２５を出し入れ口２Ａから出没させることができる。
【００３０】
固形糊２５を使い切って新たなカートリッジ３に交換するときは、操作部材４を摘んで下方に向かう操作力を付与して第２の位置に移動させればよい（図５参照）。この移動により、内筒１０の下部周壁１３Ａと保持筒部３５との係り合いも解除されて当該保持筒部３５から下部周壁１３Ａが抜け出る状態となる。この状態は、カートリッジ３を外筒２内に保持する構造が存在しないことになるため、当該カートリッジ３の上部外周側を摘んで図５中上方に引き抜くように操作するだけで、外筒２からカートリッジ３を取り出すことが可能となる。そして、新たなカートリッジ３を再び外筒２内に差し込めばよい。
【００３１】
従って、このような実施形態によれば、操作部材４の軸方向移動を行うだけで、カートリッジ３を取り出して交換可能となり、当該取り出し用の別途の押圧部材を設ける必要性を一掃することが可能となる。
【００３２】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３３】
例えば、前記実施形態では、棒状部材として固形糊を対象としたが、本発明はこれに限定されるものではなく、固形リップクリーム等を対象とすることも可能である。
【００３４】
また、前記実施形態では、操作部材４と内筒１０との係り合いにより、当該内筒１０が外筒２内の所定位置に保持される構成を図示、説明したが、内筒１０と外筒２とを相互に係り合わせる構成とし、この係り合いの解除を操作部材４の移動によって行えるようにしてもよい。要するに、本発明は、操作部材４を移動操作することで、カートリッジ３を交換することができる構成であれば足りる。
【図面の簡単な説明】
【００３５】
【図１】本実施形態に係る繰出容器の概略斜視図。
【図２】前記繰出容器の概略分解斜視図。
【図３】図１の拡大縦断面図。
【図４】図３のＡ−Ａ線に沿う矢視断面図
【図５】カートリッジを取り出す状態を示す縦断面図。
【図６】外筒の縦断面図
【図７】図６の底面図。
【図８】内筒の縦断面図。
【図９】図８の底面図。
【図１０】軸部材の縦断面図。
【図１１】図１０の底面図。
【図１２】受け部材の平面図。
【図１３】図１２の底面図。
【図１４】（Ａ）は操作部材の平面図、（Ｂ）は（Ａ）のＢ−Ｂ線に沿う矢視断面図、（Ｃ）は操作部材の底面図。
【図１５】従来の繰出容器を示す概略断面図。
【符号の説明】
【００３６】
１  繰出容器
２  外筒（本体ケース）
３  カートリッジ
４  操作部材
１０  内筒
１１  軸部材
１２  受け部材
２４  ギヤ
２５  固形糊（被収容材）
３５  保持筒部
３６  ギヤ
４０  スロット
【図１】
2005271941.tif 000003
【図２】
2005271941.tif 000004
【図３】
2005271941.tif 000005
【図４】
2005271941.tif 000006
【図５】
2005271941.tif 000007
【図６】
2005271941.tif 000008
【図７】
2005271941.tif 000009
【図８】
2005271941.tif 000010
【図９】
2005271941.tif 000011
【図１０】
2005271941.tif 000012
【図１１】
2005271941.tif 000013
【図１２】
2005271941.tif 000014
【図１３】
2005271941.tif 000015
【図１４】
2005271941.tif 000016
【図１５】
2005271941.tif 000017